(57)【要約】【課題】複数の通信線同士を接続する分岐点における反射によって通信線内で生じる高周波ノイズを早期に減衰させることができる分岐コネクタを提供する。【解決手段】複数の通信線２Ａ，２Ｂの先端に端末プラグ２Ｃが設けられた伝送線を、互いに対向する第１方向と第２方向からそれぞれ接続する分岐コネクタであって、前記第１方向から嵌合する前記伝送線の端末プラグ２Ｃを介して該伝送線の各通信線とそれぞれ接続する第１接続端部３ａと、前記第２方向から嵌合する前記伝送線の端末プラグを介して該伝送線の各通信線とそれぞれ接続する第２接続端部３ｂとを、両端部に備えた複数の端子３と、前記複数の端子の中心部に固定する基板４と、前記各端子３に一端を接続すると共に他端を前記基板上の分岐接続パターン４ａに接続してフィルタ回路Ｆを構成する抵抗５とコイル６を備えている。【選択図】図３
2008041287.tif 000002
【特許請求の範囲】
【請求項１】
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の各通信線とそれぞれ接続する第１接続端部と、前記第２方向から嵌合する前記伝送線の端末プラグを介して該伝送線の各通信線とそれぞれ接続する第２接続端部とを、両端部に備えた複数の端子と、
前記複数の端子の中心部に固定する基板と、
前記各端子に一端を接続すると共に他端を前記基板上の分岐接続パターンに接続してフィルタ回路を構成する抵抗とコイルと、
を備えていることを特徴とする分岐コネクタ。
【請求項２】
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の複数の通信線と接続する複数の分岐接続端子部を有するジョイントバスバーと、
前記第２の方向から嵌合する前記伝送線の端末プラグを介して該伝送線の各通信線と夫々接続する複数の端子と、
前記複数の端子の基端部を固定する基板と、
前記各端子に一端を接続すると共に他端を前記基板上の分岐接続パターンに接続してフィルタ回路を構成する抵抗とコイルを備え、
前記基板上の分岐接続パターンに上記ジョイントバスバーを接続していることを特徴とする分岐コネクタ。
【請求項３】
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の各通信線とそれぞれ接続する複数の第１の端子と、
前記第２方向から嵌合する前記伝送線の端末プラグを介して該伝送線の各通信線とそれぞれ接続する複数の第２の端子と、
前記第１の端子と第２の端子の基端部にそれぞれ一端を接続しているフィルタ回路を構成する抵抗とコイルと、
前記抵抗とコイルの他端を対面配置で両側にそれぞれ接続している分岐接続導体と、
前記複数の端子の基端部、前記抵抗、前記コイルおよび前記分岐接続導体をモールドしている樹脂製保持材と
を備えていることを特徴とする分岐コネクタ。
【請求項４】
前記伝送線は、差動伝送の平衡通信線路を構成する一対の第１通信線と第２通信線を備えたツイストペア電線やシールドツイストペア電線を含むペア電線からなり、
第１方向および第２方向から夫々複数の前記伝送線の端末プラグが嵌合される構成としている請求項１乃至請求項３のいずれか１項に記載の分岐コネクタ。
【請求項５】
前記ペア電線からなる伝送線のうち、一方の第１通信線は前記フィルタ回路を構成する抵抗およびコイルに接続し、他方の第２通信線をジョイントバスバーの分岐接続部に接続している請求項４に記載の分岐コネクタ。
【請求項６】
前記第１方向から前記伝送線の端末プラグが嵌合される第１ハウンジグと、前記第２方向から前記伝送線の端末プラグが嵌合される第２ハウジングとを備え、前記第２ハウジングに前記端子、該端子に接続したフィルタ回路を構成する抵抗とコイル、該抵抗とコイルと接続する基板、ジョイントバスバーあるいは分岐接続導体を収容固定している請求項１乃至請求項５のいずれか１項に記載の分岐コネクタ。
【発明の詳細な説明】
【技術分野】
【０００１】
本発明は、車載用の分岐コネクタに関し、特に、自動車内に配索される通信線路の分岐部における反射などによる波形歪みを小さくするものである。
【背景技術】
【０００２】
近年、自動車の機能増加に伴い、自動車に搭載される電子制御ユニット（以下、ＥＣＵ:Electronic  Control  Unitという）が高性能化しており、その数も増加する傾向にある。つまり、複数のＥＣＵが通信線路によって接続されて車載ＬＡＮを構成するようになっている。多くの自動車に採用されているＣＡＮ（Controller  Area  Network)などの車載ＬＡＮはバストポロジーのネットワークであるので、各ＥＣＵはＣＡＮバスに分岐接続する支線である通信線を介して車載ＬＡＮに接続される。
【０００３】
また、ＣＡＮの通信線はＣＡＮ＿ＨとＣＡＮ＿Ｌの一対があり、これら一対の通信線を螺旋状に編み込むことによりツイストペアケーブルと呼ばれる通信線路を形成する。そして、これら一対の通信線（ＣＡＮ＿Ｈ，ＣＡＮ＿Ｈ）は、その間の電位差によって信号を伝送する差動伝送の平衡通信線路である。
【０００４】
ところで、ＥＣＵの数の増加に対応するために、ＣＡＮバスを構成する通信線路の一点において複数の通信線路からなる支線をスター状に接続するように構成された車載ＬＡＮを構成することもある。ところが、前記通信線路を一点において複数に分岐接続することによりインピーダンス不整合による電気信号の反射が発生するので、支線の長さに制約が生じるという問題が発生することがある。
【０００５】
特許文献１にはスター接続されたデータ通信システムの構成が示されている。このデータ通信システムでは、スター接続された各通信線の分岐点近傍にフェライトコアからなる減衰手段を設けると共に、分岐点に負荷インピーダンスを設けることにより、各支線側から見て分岐部において近似的に支線のインピーダンスをもって終端されているようにすることが記載されている。つまり、分岐接続部におけるインピーダンスの不整合によって生じる反射波の発生を抑えることが記載されている。
【０００６】
【特許文献１】特表平７−５００４６３号公報
【発明の開示】
【発明が解決しようとする課題】
【０００７】
ところが、特に１点から複数に分岐するように構成された通信線路では、分岐点におけるインピーダンスが、各支線のインピーダンスの並列合成抵抗となるので、前記支線側から分岐点を見たインピーダンスを、支線のインピーダンスに正確に合わせることは極めて困難であった。また、フェライトコアを用いて、少なくとも高周波の帯域においては支線側から見た分岐点のインピーダンスを支線の通信線路のインピーダンスに合わせるようとすると、フェライトコアの大きさが大きくならざるを得ず、分岐コネクタが大型化してしまうという問題が発生する。
【０００８】
さらに、分岐点におけるインピーダンスの整合をとるには、各支線に挿入する減衰手段によるインピーダンスを大きくする必要が生じるので、これによって、ＣＡＮバスを介して通信する信号そのものが減衰するという問題が発生する。
【０００９】
前記問題に対しては、分岐点においてインピーダンスの整合をとるのではなく、分岐点において発生する反射波による高周波ノイズを減衰させるための必要最低限の電気的特性を有するノイズフィルタ回路を設けることが考えらえる。しかしながら、このようなノイズフィルタ回路を設けると、高密度化する分岐コネクタ内においてフィルタ回路を構成する各素子を分岐部近傍に配置することが困難になる。
【００１０】
前記抵抗およびコイルとして、表面実装に対応可能なチップ型の素子を用いて小型化を図ることも考えられるが、１対の信号線のそれぞれにノイズフィルタ回路を構成するために複数の素子（例えば抵抗とコイル）の両方を接続して多数の通信線路の分岐点を形成するためには、各素子を実装するために大きな面積が必要となり、分岐コネクタが大型化する問題がある。
【００１１】
本発明は前記課題に鑑みてなされたもので、差動伝送の平衡通信線路等からなる複数の通信線を備えた伝送線の分岐点において、容易に小型化を達成できる簡単な構成でありながら、分岐点における反射によって支線を構成する通信線内で生じる高周波ノイズを早期に減衰させることができる分岐コネクタを提供することを課題としている。
【課題を解決するための手段】
【００１２】
前記課題を解決するため、第１の発明として、
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の各通信線とそれぞれ接続する第１接続端部と、前記第２方向から嵌合する前記伝送線の端末プラグを介して該伝送線の各通信線とそれぞれ接続する第２接続端部とを、両端部に備えた複数の端子と、
前記複数の端子の中心部に固定する基板と、
前記各端子に一端を接続すると共に他端を前記基板上の分岐接続パターンに接続してフィルタ回路を構成する抵抗とコイルと、
を備えていることを特徴とする分岐コネクタを提供している。
【００１３】
前記第１の発明の構成によれば、第１方向と第２方向からそれぞれ端末プラグが分岐コネクタに対面状態で嵌合される伝送線は、その直線上に対向する通信線同士が、分岐コネクタ内の１つの端子の両端の第１接続端部と第２接続端部に接続されて導通状態となる。
かつ、前記各端子は抵抗およびコイルの並列接続からなるフィルタ回路を介して基板の分岐接続パターンに接続されるため、前記端子、分岐接続パターンおよびフィルタ回路を介して各通信線が接続されることとなる。即ち、各端子に接続された全ての通信線は抵抗およびコイルによって形成されたフィルタ回路を介して分岐接続パターンに接続されているため、一本の通信線から入力する信号が他の通信線に送り出される。とりわけ、同じ端子に接続される２本の通信線の間では一本の端子によってほぼ直接的に接続されているのでインピーダンス不整合による反射を起こりにくくすることができる。
【００１４】
また、前記分岐コネクタの分岐点を構成する分岐接続パターンの部分においてはインピーダンス不整合による信号の反射が起こるが、この反射によって生じる高周波ノイズを反射する度に抵抗およびコイルからなるフィルタ回路によって減衰させることができる。信号の山（または谷）はフィルタ回路を１回通るだけであるのに対し、反射波の山（または谷）は反射する度にフィルタ回路を通って減衰するので、信号に対する反射波の減衰量を大きくすることができる。フィルタ回路は信号帯域以外の信号成分を減衰させるように設計するが、反射によるリンギングの周波数帯域以外は、減衰量を可能な限り小さくすることが好ましい。このように、フィルタ回路を１回通過することにより得られる反射波の減衰量は小さく設定しても、前記抵抗およびコイルからなるフィルタ回路が取り付けられた通信線において生じるリンギングを効率的に減衰させることができる。さらに、一本の端子に接続された２本の通信線に対して１回路のフィルタ回路が形成されているので、抵抗およびコイルの数を削減することができそれだけ製造コストを削減することができる。
【００１５】
また、本発明の分岐コネクタでは、接続する伝送線の各端末プラグを第１方向と、対向する第２方向から嵌合する構成とし、第１方向と第２方向からそれぞれ嵌合する伝送線の対向する通信線を直線状の１本の端子で接続しているため、各通信線にそれぞれ端子を接続する場合と比較して、端子の数を半減させることができる。このように、部品点数を減少することで製造工数の低減も図ることができ、製造コストを削減することができる。また、端子の数が半減することにより、分岐コネクタの幅を約半分にすることができ、コンパクト化を実現できると共に、分岐コネクタによる遅延を必要最小限に抑えることができる。つまり、分岐コネクタ接続される各通信線の長さを長くすることが可能である。
【００１６】
また、第２の発明として、
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の複数の通信線と接続する複数の分岐接続端子を有するジョイントバスバーと、
前記第２の方向から嵌合する前記伝送線の端末プラグを介して該伝送線の各通信線と夫々接続する複数の端子と、
前記複数の端子の基端部を固定する基板と、
前記各端子に一端に接続すると共に他端を前記基板上の分岐接続パターンに接続してフィルタ回路を構成する抵抗とコイルを備え、
前記基板上に前記ジョイントバスバーを固定すると共に該ジョイントバスバーを前記分岐接続パターンに接続していることを特徴とする分岐コネクタを提供している。
【００１７】
前記第２の発明の構成によれば、第１方向からジョイントバスバーに接続される通信線を介して受信する信号は、該ジョイントバスバーに分岐接続される他の通信線に分岐して送り出される。また、ジョイントバスバーは基板の分岐接続パターンに接続されているため、第１方向からの通信線の信号は、前記分岐接続パターンと接続した前記抵抗およびコイルの並列接続からなるフィルタ回路を介して他の通信線に送り出される。
他方、前記第２方向から１つの端子に接続される通信線は前記フィルタ回路を介して分岐接続パターンに接続され、該分岐接続パターンは前記ジョイントバスバーに接続されていると共に他のフィルタ回路を介して他の通信線に接続されている。よって、第２方向から受信する信号も、フィルタ回路、分岐接続パターン、ジョイントバスバーを介して全ての通信線に送り出される。
【００１８】
この第２の発明の分岐コネクタにおいても、前記ジョイントバスバーおよび分岐接続パターンの部分でインピーダンス不整合が生じ、これに伴って信号の反射が生じるが、この反射による信号の歪みは抵抗およびコイルの並列接続からなるフィルタ回路によって減衰し、リンギングなどの高周波ノイズの発生を抑制することができる。つまり、フィルタ回路を設けた通信線の長さを長くすることが可能である。
また、前記第１の発明の分岐コネクタと同様に、端末プラグを対面方向の第１の方向と第２の方向から嵌合し、２本の通信線を対面させて接続しているため、分岐コネクタの幅を約半分にすることができ、コンパクト化を実現できると共に、分岐コネクタによる遅延を必要最小限に抑えることができる。
【００１９】
更に、第３の発明として、
複数の通信線の先端に端末プラグが設けられた伝送線を、互いに対向する第１方向と第２方向からそれぞれ接続する分岐コネクタであって、
前記第１方向から嵌合する前記伝送線の端末プラグを介して該伝送線の各通信線とそれぞれ接続する複数の第１の端子と、
前記第２方向から嵌合する前記伝送線の端末プラグを介して該伝送線の各通信線とそれぞれ接続する複数の第２の端子と、
前記第１の端子と第２の端子の基端部にそれぞれ一端を接続してフィルタ回路を構成する抵抗とコイルと、
前記抵抗とコイルの他端を対面配置で両側にそれぞれ接続している分岐接続導体と、
前記複数の端子の基端部、前記抵抗、前記コイルおよび前記分岐接続導体をモールドしている樹脂製保持材と
を備えていることを特徴とする分岐コネクタを提供している。
【００２０】
この第３の発明の分岐コネクタにおいても、全ての通信線が抵抗とコイルからなるフィルタ回路を介して分岐接続導体と接続されているため、１つの通信線を介して受信する信号は、前記フィルタ回路を介して分岐接続導体で分岐すると共に、それぞれ個別のフィルタ回路を介して各通信線に送り出される。また、前記分岐接続導体の両側にフィルタ回路を構成する抵抗およびコイルを配置しているので、効率的な接続形態とすることができる。また、端子の基端部、抵抗、コイルおよび分岐接続導体を樹脂性保持材によってモールドしているので、外力によって各接続部分に応力がかかることを防止できる。
【００２１】
また、前記第１、第２の発明の分岐コネクタと同様に、第３の発明の分岐コネクタにおいても、前記分岐接続導体には複数の通信線が分岐接続されるので、インピーダンス不整合が生じ、これに伴って信号の反射が生じるが、この反射による信号の歪みは抵抗およびコイルの並列接続からなるフィルタ回路によって減衰し、リンギングなどの高周波ノイズの発生を抑制することができる。つまり、フィルタ回路を設けた通信線の長さを長くすることが可能である。
加えて、端末プラグを対面する第１方向と第２方向から嵌合する構成としているため、２本の通信線を対面状に接続でき、分岐コネクタの幅を約半分にすることができ、コンパクト化を実現できると共に、分岐コネクタによる遅延を必要最小限に抑えることができる。
【００２２】
前記第１、第２、第３の発明の分岐コネクタに対面して接続する伝送線は、差動伝送の平衡通信路を構成する一対の第１通信線と第２通信線を備えたペア電線からなり、
第１方向および第２方向から夫々複数の前記ペア電線からなる伝送線の端末プラグが嵌合される構成とし、特に、ペア電線はツイストペア電線またはシールドツイストペア電線としていること好ましい。
【００２３】
前記ペア電線からなる伝送線のうち、一方の第１通信線は前記フィルタ回路を構成する抵抗およびコイルに接続し、他方の第２通信線を前記ジョイントバスバーの分岐接続部の接続する構成としていることが好ましい。
【００２４】
前記構成とすると、１つの通信線路を構成する一対の通信線のうち、第２通信線を介して送られた信号は、ジョイントバスバーにおいて直接的に分岐接続された別の通信線に送り出される。このとき、第２通信線において、分岐点におけるインピーダンス不整合による反射が発生するが、差動伝送の平衡通信線路を構成する一対の通信線は互いに影響を与え合うことによりノイズの混入を防止するものであるから、差動伝送の平衡通信線路を構成する前記第１通信線に設けた抵抗とコイルによる高周波ノイズの減衰手段によって第２通信線における高周波ノイズを減衰させることが可能である。
【００２５】
また、抵抗やコイルなどの部品点数を半減させることができるので、それだけ、製造コストを削減することができ、小型化にも寄与する。さらに、各素子（抵抗、コイル）の数が少なくなればなるほど分岐コネクタ内の狭い空間に余裕を持って各素子を配置することができる。なお、各素子の電気的特性の大きさはフィルタ回路を一対の通信線の両方に設ける場合に最適な大きさの２倍とすることが好ましい。
【００２６】
前記第１〜第３の発明の分岐コネクタは、具体的には、前記第１方向から前記伝送線の端末プラグが嵌合されるオスハウンジグと、前記第２方向から前記伝送線の端末プラグが嵌合される第２ハウジングとを備え、前記第２ハウジングに前記端子、該端子に接続したフィルタ回路を構成する抵抗とコイル、該抵抗とコイルと接続する基板、ジョイントバスバーあるいは分岐接続導体を収容固定している。
【発明の効果】
【００２７】
前述したように、本発明によれば、分岐コネクタの小型化を達成することができ、部品点数を削減できる。さらに、分岐コネクタ内の空間の有効活用を行うことにより、各部品を効率よく配置することができる。また、分岐接続された通信線内で生じる高周波ノイズを減衰させて波形歪みを低減することができるので、本発明の分岐コネクタに接続する各通信線の長さを長くすることができる。
【発明を実施するための最良の形態】
【００２８】
本発明の実施形態を図面を参照して説明する。
図１乃至図３は、本発明の第一実施形態にかかる分岐コネクタ１の構成を示す図であり、図１は前記分岐コネクタ１の分解斜視図、図２は分岐コネクタ１の要部構成を背面（本明細書では分岐コネクタ１の受容口を正面とする）から見た図、図３は分岐コネクタ１をその側面から見た図である。
【００２９】
第１実施形態の分岐コネクタ１は、差動伝送の平衡通信線路２を構成するツイストペア電線からなる一対の第１通信線２Ａ，第２通信線２Ｂの端部に１つの端末プラグ２Ｃを備えた伝送線Ｗ（Ｗ１、Ｗ２、Ｗ３…）を、第１方向Ｘ１と、対向方向の第２方向Ｘ２とから対面的に嵌合するものである。
【００３０】
分岐コネクタ１は、互いに雌雄嵌合して結合される第１コネクタハウジング８Ａ（以下、第１ハウジング８Ａと略称する）と第２コネクタハウジング８Ｂ（以下、第２ハウジング８Ｂと略称する）を備え、これら第１ハウジング８Ａおよび第２ハウジング８Ｂにそれぞれ複数の伝送線Ｗの端末プラグ２ｃを挿入嵌合する受容口８ａを設けている。これら受容口８ａの底面には端末プラグ２ｃ毎に仕切るガイドリブ８ｄを設けている。
【００３１】
前記第２ハウジング８Ｂ内には、基板４を収容固定している。該基板４は、図２および図３に示すように、上下一対の分岐配線パターン４ａを左右方向に延在して設けてると共に、これら上下の分岐配線パターン４ａの間に上下２段で且つ左右方向に一定ピッチをあけた貫通孔４ｂを設けている。
前記上下２段の貫通孔４ｂには、長尺なピン形状とした複数の端子３（３Ａ、３Ｂ）を貫通させ、端子３の中央部３ｃを基板４に固定して並設している。
【００３２】
前記各端子３の両端は第１接続端部３ａと第２接続端部３ｂとし、第１接続端部３ａは第１ハウジング８Ａ、第２接続端部３ｂが第２ハウジング８Ｂの各受容口８ａの奥側閉鎖壁８ｂに設けた端子孔８ｃを通して受容口８ａに突出させている。
【００３３】
各端子３の第１接続端部３ａは第１ハウジング８Ａに嵌合する伝送線Ｗ１、Ｗ３…の端末プラグ２Ｃに挿入され、前記伝送線Ｗ１、Ｗ２の図１中に上段の第１通信線２Ａと端子３Ａが接続され、下段の第２通信線２Ｂと端子３Ｂが接続される。
端子３の他端の第２接続端部３ｂは第２ハウジング８Ｂに嵌合する伝送線Ｗ２…の端末プラグ２Ｃに挿入され、前記伝送線Ｗ２の図中上段の１通信線２Ａと端子３Ａが接続され、下段の第２通信線２Ｂと端子３Ｂとが接続される。
即ち、上段の１本の端子３Ａの両端に対面嵌合する伝送線Ｗ１とＷ２の第１通信線２Ａ、２Ａが接続され、下段の１本の端子３Ｂの両端に伝送線Ｗ１とＷ２の第２通信線２Ｂ、２Ｂが接続される。
本実施形態では、各第１・第２ハウジング８Ａ、８Ｂにそれぞれ４個の端末プラグ２ｃを並列に嵌合する構成とし、合計８個の伝送線Ｗ１〜Ｗ８を分岐接続する構成としている。
【００３４】
図２に示すように、基板４の各貫通孔４ｂの周囲には半田に半田付け用のパット４ｃを設け、各端子３を貫通孔４ｂに挿入し、パット４ｃで端子３の中央部３ｃを半田付けしている。
【００３５】
前記各パット４ｃにフィルタ回路Ｆを構成する抵抗５とコイル６の一端５ａ、６ａを並列に接続すると共に、これら抵抗５とコイル６の他端５ｂ、６ｂを前記分岐接続パターン４ａに並列に半田接続している。即ち、フィルタ回路を構成する一対の抵抗５とコイル６は、半田付けによって基板４に表面実装されるチップ形状の素子としている。
このように、抵抗５とコイル６をチップ型素子としているため、小型化でき基板４の表面積を小さくできる。なお、フィルタ回路を構成する抵抗５とコイル６の形状をチップ形状に限定されず、挿入型実装を行う素子を用いてもよい。
【００３６】
前記のように、各端子３を基板４上の半田パット４ｃを介して抵抗５とコイル６の一端に並列接続し、こられ抵抗５とコイル６の他端側を１つの分岐接続パターン４ａに接続していることで、各端子３（３Ａ、３Ｂ…）はそれぞれ抵抗５とコイル６の並列接続回路からなるフィルタ回路Ｆを介して分岐接続パターン４ａを中心とするスター状に接続される。
【００３７】
前記分岐コネクタ１を用いてツイストペア電線からなる伝送線Ｗ（Ｗ１，Ｗ２，Ｗ３…）を分岐接続する際、まず、第１ハウジング８Ａと第２ハウジング８Ｂとを予め嵌合した結合状態で、両側に開口する受容口８ａ、８ａにそれぞれ複数の伝送線Ｗの端末プラグ２Ｃを挿入する。なお、第１ハウジング８Ａに伝送線Ｗ１，Ｗ３〜の端末プラグ２Ｃを嵌合する一方、第２ハウジング８Ｂに伝送線Ｗ２〜の端末プラグ２Ｃを嵌合しておき、この状態で第１、第２ハウジングを嵌合してもよい。
【００３８】
このように、分岐コネクタ１の第１方向Ｘ１と、対向する第２方向Ｘ２とに夫々伝送線Ｗの端末プラグ２Ｃを嵌合すると、対向する伝送線Ｗ１とＷ２の第１通信線２Ａ同士が上段の端子３Ａの両端の第１接続端部３ａと第２接続端部３ｂに接続されて導通される。また、第２通信線２Ｂ同士が下段の端子３Ｂの両端の第１接続端部３ａと第２接続端部３ｂに接続されて導通される。
【００３９】
かつ、対向する上段の第１通信線２Ａ同士は端子３Ａを介して接続されると共に、並設する伝送線の上段の第１通信線２Ａは、全て各端子３Ａ−基板４の半田パット４ｃ、フィルタ回路Ｆを構成する抵抗５とコイル６−上段の分岐接続パターン４ａと接続されているために、分岐コネクタ１に嵌合する全ての伝送線Ｗの第１通信線２Ａはフィルタ回路Ｆを介して上段の分岐接続パターン４ａにスター状に接続される。
同様に、並設する伝送線の下段の第２通信線２Ｂは、全て各端子３Ｂ−基板４の半田パット４ｃ、フィルタ回路Ｆを構成する抵抗５とコイル６−下段の分岐接続パターン４ａと接続されているために、分岐コネクタ１に嵌合する全ての伝送線Ｗの第２通信線２Ｂはフィルタ回路Ｆを介して下段の分岐接続パターン４ａにスター状に接続される。
【００４０】
このように、分岐コネクタ１の対向する受容口８ａ、８ａに対向する方向から端末プラグ２Ｃを挿入して嵌合することで、各端末プラグ２Ｃを接続される各伝送線Ｗの第１通信線、第２通信線をそれぞれスター状に分岐接続することができる。
本実施形態では第１ハウジング８Ａと第２ハウジング８Ｂに嵌合する端末プラグを各４個として８本の伝送線Ｗを接続しているが、分岐コネクタ１に接続する伝送線Ｗは任意に増減できる。
【００４１】
前記構成の分岐コネクタ１では、各端子３は抵抗５およびコイル６の並列接続からなるフィルタ回路Ｆを介して基板４の分岐接続パターン４ａに接続されるため、伝送線Ｗの第１通信線２Ａが全て接続されることとなる。即ち、各端子３Ａに接続された全ての第１通信線２Ａ、第２通信線２Ｂはそれぞれフィルタ回路Ｆを介して上段の分岐接続パターン４ａ、下段の分岐接続パターン４ａに接続されているため、一本の伝送線Ｗの第１通信線２Ａから入力する信号を他の伝送線Ｗの第１通信線２Ａに送り出される。とりわけ、１本の端子３に接続される２本の通信線の間では一本の端子によってほぼ直接的に接続されているのでインピーダンス不整合による反射を起こりにくくすることができる。
かつ、各ハウジングの並列に嵌合する伝送線Ｗの通信線間の分岐は、抵抗およびコイルからなるフィルタ回路Ｆを介して分岐接続パターン４ａによって分岐接続される。この分岐接続パターン４ａによる分岐部分においてはインピーダンス不整合が発生し、これにより反射が生じて高周波ノイズが発生する可能性がある。しかしながら、この高周波ノイズは前記フィルタ回路Ｆを通る度に減衰するので、波形歪みを低減することができ、リンギングの発生を抑制することができる。
【００４２】
また、抵抗５とコイル６は分岐コネクタ１の幅方向に並べて基板４上に配置しているが、本発明の分岐コネクタ１が対面する２つの方向Ｘ１，Ｘ２から端末コネクタを嵌合可能として端子３の数を半分にしているので、抵抗５とコイル６の取り付けが容易となる程度に端子３の幅方向の間隔ｗを広く形成したとしても、分岐コネクタ１を小型化することができる。
【００４３】
図４乃至図６は、本発明の第二実施形態にかかる分岐コネクタ１０の構成を示す。
図４乃至図６において、図１乃至図３と同じ符号を付した部材は、同一または同等の部材であるから、その詳細な説明を省略する。
図４乃至図６において、１１Ａ，１１Ｂは上下２段のジョイントバスバーである。上段のジョイントバスバー１１Ａは第１の方向Ｘ１から嵌合する端末プラグ２Ｃを介して上段の複数の第１通信線２Ａにそれぞれ接続する複数の分岐接続部１１ａを備えている。下段のジョイントバスバー１１Ｂは下段の複数の第２通信線２Ｂに夫々接続する複数の分岐接続部１１ａを備えたジョイントバスバーである。
１２Ａ，１２Ｂは第２の方向Ｘ２から嵌合する端末プラグ２Ｃを介して上段の第１通信線２Ａ，下段の第２通信線２Ｂにそれぞれ接続する上下に配置する複数の端子である。
１３は前記上下２段の端子１２Ａ，１２Ｂの基端部１２ａに固定する基板である。
【００４４】
前記ジョイントバスバー１１Ａ，１１Ｂは前記分岐接続部１１ａを連結する連結部１１ｂと、この連結部１１ｂに連接された分岐接続部１１ｃとを有する。
前記端子１２Ａ，１２Ｂは第一実施形態の端子３Ａ、３Ｂと同様なピン状の端子であり、分岐接続する伝送線Ｗに合わせた本数としている。これらの端子３Ａ、３Ｂは第２ハウジング８Ｂの孔８ｃにそれぞれ差し込んで並設している。
【００４５】
前記基板１３は前記端子１２の間隔に合わせて孔１３ａを開設していると共に、孔１３ａの背面側の周囲に前記抵抗５およびコイル６の一端５ａ，６ａを半田付けするためのパット１３ｂを形成している。さらに、基板１３に分岐接続パターン１３ｃを設け、前記複数の抵抗５…および複数のコイル６…の他端５ｂ，６ｂを半田付けしている。この分岐接続パターン１３ｃの端部には前記ジョイントバスバー１１Ａ，１１Ｂの分岐接続部１１ｃ，１１ｃを半田付け固定するためのランド１３ｄを形成している。
【００４６】
本実施形態のように構成することにより、第１方向Ｘ１から第１ハウジング８Ａに嵌合する伝送線Ｗ１，Ｗ２の第１通信線２Ａは上段のジョイントバスバー１１Ａに、第２通信線２Ｂは下段のジョイントバスバー１１Ｂに接続し、これらジョイントバスバー１１Ａ，１１Ｂは基板１３の分岐接続パターン１３ｃと接続する。よって、上下の分岐接続パターン１３ｃの部分において複数の第１通信線２Ａ…，第２通信線２Ｂ…をそれぞれ分岐接続している。
一方、第２方向Ｘ２から第１ハウジング８Ｂに嵌合する伝送線Ｗ２の第１通信線２Ａは上段の端子１２Ａ、第２通信線２Ｂが下段の端子１２Ｂと接続し、これら端子１２Ａ、１２Ｂはそれぞれ抵抗５およびコイル６の並列接続によるフィルタ回路Ｆを介して上下の分岐接続パターン１３ｃにそれぞれ接続している。かつ、上下の分岐接続パターン１３ｃを夫々ランド部１３ｄで前記ジョイントバスバー１１Ａ、１１Ｂと接続している。
前記第２方向Ｘ２から嵌合する端末プラグ２Ｃを介して接続する第１通信線２Ａ，第２通信線２Ｂと上下の分岐接続パターン１３ｃの間にはフィルタ回路Ｆが形成されているため、インピーダンス不整合によって生じるリンギングなどの高周波ノイズを効果的に減衰することができる。つまり、第２の方向Ｘ２から嵌合する端末プラグ２Ｃに接続する通信線の長さを長くすることができる。また、前記フィルタ回路Ｆは各第１通信線２Ａ，第２通信線２Ｂにそれぞれ１回路ずつ設けているので動作を安定させることができる。
【００４７】
図７乃至図９は、本発明の第三実施形態にかかる分岐コネクタ２０の構成を示す。
図７乃至図９において、図１乃至図６と同一部材は同一符号を付して説明を省略する。
【００４８】
図７乃至図９において、２１Ａ，２１Ｂは第１方向Ｘ１から嵌合する端末プラグ２Ｃを介して複数の第１通信線２Ａ…，第２通信線２Ｂ…にそれぞれ接続する複数の端子である。２２Ａ，２２Ｂは第２方向Ｘ２から嵌合する端末プラグ２Ｃを介して第１通信線２Ａ，第２通信線２Ｂにそれぞれ接続する複数の端子である。
２３Ａ，２３Ｂは分岐接続導体であり、前記端子２１Ａ，２１Ｂ，２２Ａ，２２Ｂの基端部２１ａ，２２ａに一端５ａ，６ａが半田付けされた前記抵抗５とコイル６の他端５ｂ，６ｂが前記分岐接続導体２３Ａ、２３Ｂに半田付けされる。
２４Ａ，２４Ｂは前記端子２１Ａ，２１Ｂ，２２Ａ，２２Ｂの基端部２１ａ，２２ａ、前記抵抗５、前記コイル６および前記分岐接続導体２３をモールドしている樹脂製保持材である。
なお、以下の説明において、端子２１Ａ，２１Ｂ、端子２２Ａ，２２Ｂ、分岐接続導体２３Ａ，２３Ｂを区別する必要がない場合にはそれぞれ、端子２１、端子２２、分岐接続導体２３、樹脂製保持材２４という。
【００４９】
前記端子２１，２２は平面視形状でＴ形状とし、基端部２１ａ，２２ａには表面積を広くした半田付け面２１ｂ，２２ｂを形成している。この半田付け面２１ｂ、２２ｂの形成によって、前記フィルタ回路Ｆを構成する抵抗５およびコイル６の一端５ａ，６ａを横方向に並べた状態で半田付け接続しやすくしている。
【００５０】
前記分岐接続導体２３は長方形状のバスバーであって、全ての抵抗５とコイル６の他端５ｂ，６ｂを半田付け接続できる長さと幅を有する。この分接続導体２３はその幅方向の両側に抵抗５とコイル６を半田付け接続するように構成することにより、幅方向両側の抵抗５とコイル６の半田付け面を互いに共有し合うことが可能となり、分岐コネクタ２０のコンパクト化に貢献している。
【００５１】
また、前記樹脂製保持剤２４は端子２１、端子２２の他端２１ａ，２２ａと、抵抗５と、コイル６と、分岐接続導体２３とを樹脂モールドしているため、外力によってこれらの部材２１〜２４の接続部に応力が生じることを防止でき、分岐コネクタ２０の堅牢性を確保することができると共に、フィルタ回路Ｆの電気的な特性を安定させることができる。
【００５２】
上述のように本実施形態の分岐コネクタ２０では各通信線２Ａ，２Ｂ毎にフィルタ回路Ｆを形成しているにもかかわらず、互いに対向する第１方向Ｘ１と第２方向Ｘ２から端末プラグ２Ｃを接続できるように構成し、これによって分岐コネクタ２０の幅方向の大きさを約半分にすることができる。また、各素子（抵抗５、コイル６）の配置を効率的に行って可能な限り半田付け面を共有させることにより、分岐コネクタ２０のさらなるコンパクト化を達成している。さらに、分岐コネクタ２０が小型化すればするほど、分岐コネクタ２０内における信号の遅延を短くすることができる。
【００５３】
図１０は本発明の第４実施形態にかかる分岐コネクタ３０の構成を示す分解斜視図である。
本実施形態の分岐コネクタ３０は図１に示す分岐コネクタ１の変形例であり、前記端末プラグ２Ｃに接続された差動伝送の平衡通信線路２を構成する一対の通信線２Ａ，２Ｂのうち、一方の第１通信線２Ａと他方の第２通信線２Ｂの分岐接続部の構成を変えて、不平衡な回路構成とする点において分岐コネクタ１と異なっている。
即ち、本実施形態の分岐コネクタ３０では一方の第１通信線２Ａを前記抵抗５およびコイル６に接続し、他方の第２通信線２Ｂを第２通信線２Ｂ用のジョイントバスバー３１に接続している。
【００５４】
前記ジョイントバスバー３１は第１の方向Ｘ１から嵌合する端末プラグ２Ｃを介して第２通信線２Ｂに接続される第１の端部３１ａと、第２の方向Ｘ２から嵌合する端末プラグ２Ｃを介して第２通信線２Ｂに接続される第２の端部３１ｂを両端に形成した棒状の複数の端子を並べた状態で、その中心部を一体的に連結する連結部３１ｃを設けた形状である。
その他の構成は前記他の実施形態と同一部材は同一符号を付して説明を省略する。
【００５５】
なお、本実施形態の分岐コネクタ３０はフィルタ回路Ｆを第１通信線２Ａにのみ形成して、不平衡にしているので、１つのフィルタ回路Ｆを用いて２本の第１、第２通信線２Ａ，２Ｂにおける高周波ノイズを減衰させることができるようにするために、抵抗５とコイル６の電気的な特性は１本の通信線２Ａにおける高周波ノイズを減衰させるのに最適な値の２倍とすることが好ましい。
【００５６】
本実施形態のように構成された分岐コネクタ３０はフィルタ回路Ｆを第１通信線２Ａにのみ設けているので、図１に示す分岐コネクタ１に比べて抵抗５およびコイル６の数を半減することができ、それだけ分岐コネクタ３０の製造コストを削減することができる。
【００５７】
図１１は本発明の第５実施形態にかかる分岐コネクタ４０の構成を示す分解斜視図である。本実施形態の分岐コネクタ５０は図４に示す分岐コネクタ１０の変形例であり、前記端末プラグ２Ｃに接続された差動伝送の平衡通信線路２を構成する一対の通信線２Ａ，２Ｂのうち、一方の第１通信線２Ａと他方の第２通信線２Ｂの分岐接続部の構成を変えて、不平衡な回路構成とする点において分岐コネクタ１０と異なっている。
即ち、本実施形態の分岐コネクタ４０では一方の第１通信線２Ａを前記抵抗５およびコイル６に接続し、他方の第２通信線２Ｂを前記ジョイントバスバー３１に接続している。その他の構成は前記他の実施形態と同一部材は同一符号を付して説明を省略する。
【００５８】
本実施形態の分岐コネクタ４０はフィルタ回路Ｆを第１通信線２Ａにのみ形成して不平衡にし、１つのフィルタ回路Ｆを用いて２本の第１、第２通信線２Ａ，２Ｂにおける高周波ノイズを減衰させることができるようにするために、抵抗５とコイル６の電気的な特性は１本の通信線２Ａにおける高周波ノイズを減衰させるのに最適な値の２倍とすることが好ましい。
【００５９】
本実施形態のように構成された分岐コネクタ４０はフィルタ回路Ｆを第１通信線２Ａにのみ設けているので、図４に示す分岐コネクタ１０に比べて抵抗５およびコイル６の数を半減することができ、それだけ分岐コネクタ４０の製造コストを削減することができる。
【００６０】
図１２は本発明の第６実施形態の分岐コネクタ５０の構成を示す分解斜視図である。
本実施形態の分岐コネクタ５０は図７に示す分岐コネクタ２０の変形例である。
前記端末プラグ２Ｃに接続された差動伝送の平衡通信線路２を構成する一対の第１、第２通信線２Ａ，２Ｂのうち、一方の第１通信線２Ａと他方の第２通信線２Ｂの分岐接続部の構成を変えて、不平衡な回路構成とする点において分岐コネクタ２０と異なっている。すなわち、本実施形態の分岐コネクタ５０では一方の第１通信線２Ａを前記抵抗５およびコイル６に接続し、他方の第２通信線２Ｂを前記ジョイントバスバー３１に接続している。
他の構成は前記他の実施形態と同一部材は同一符号を付して説明を省略する。
【００６１】
なお、本実施形態の分岐コネクタ５０はフィルタ回路Ｆを第１通信線２Ａにのみ形成して不平衡にし、１つのフィルタ回路Ｆを用いて２本の通信線２Ａ，２Ｂにおける高周波ノイズを減衰させることができるようにするために、抵抗５とコイル６の電気的な特性は１本の通信線２Ａにおける高周波ノイズを減衰させるのに最適な値の２倍とすることが好ましい。
【００６２】
本実施形態のように構成された分岐コネクタ５０はフィルタ回路Ｆを第１通信線２Ａにのみ設けているので、図１に示す分岐コネクタ２０に比べて抵抗５およびコイル６の数を半減することができ、それだけ分岐コネクタ５０の製造コストを削減することができる。
【図面の簡単な説明】
【００６３】
【図１】第１実施形態の分岐コネクタを示す分解斜視図である。
【図２】前記分岐コネクタの要部を背面から見た図である。
【図３】前記分岐コネクタの縦断面図である。
【図４】第２実施形態の分岐コネクタを示す分解斜視図である。
【図５】前記分岐コネクタの要部を背面から見た図である。
【図６】前記分岐コネクタの縦断面図である。
【図７】第３実施形態の分岐コネクタを示す分解斜視図である。
【図８】前記分岐コネクタの要部を背面から見た図である。
【図９】前記分岐コネクタの縦断面図である。
【図１０】第４実施形態の分岐コネクタを示す分解斜視図である。
【図１１】第５実施形態の分岐コネクタを示す分解斜視図である。
【図１２】第６実施形態の分岐コネクタを示す分解斜視図である。
【符号の説明】
【００６４】
１，１０，２０，３０，４０，５０  分岐コネクタ
２Ａ                              第１通信線
２Ｂ                              第２通信線
２Ｃ                              端末プラグ
３（３Ａ，３Ｂ）                  端子
３ａ                              第１接続端部
３ｂ                              第２接続端部
４，１３                          基板
４ａ，１３ｃ                      分岐接続パターン
５                                抵抗
６                                コイル
１１                              ジョイントバスバー
１１ａ                            分岐接続端子部
１１ｃ                            分岐接続部
２３                              樹脂製保持材
３１                              第２通信線用のジョイントバスバー
Ｘ１                              第１方向
Ｘ２                              第２方向
Ｗ（Ｗ１、Ｗ２，Ｗ３  …）        伝送線（ツイストペア電線）
【図１】
2008041287.tif 000003
【図２】
2008041287.tif 000004
【図３】
2008041287.tif 000005
【図４】
2008041287.tif 000006
【図５】
2008041287.tif 000007
【図６】
2008041287.tif 000008
【図７】
2008041287.tif 000009
【図８】
2008041287.tif 000010
【図９】
2008041287.tif 000011
【図１０】
2008041287.tif 000012
【図１１】
2008041287.tif 000013
【図１２】
2008041287.tif 000014